(57)【要約】【課題】異物の再付着が少なく、光学部品の表面に付着してある異物を短時間で除去可能な光学部品清掃具を提供すること。  【解決手段】この光学部品清掃具３０は、光学部品２４の表面に付着している異物の一種である有機物６０の付着力を低下させる有機物除去容易化部材４７と、前記付着力を低下させた有機物を前記光学部品の表面から除去可能な除去部材４６と、を有する。【選択図】図１
2009135759.tif 000002
【特許請求の範囲】
【請求項１】
光学部品の表面に付着している異物の一種である有機物の付着力を低下させる有機物除去容易化部材と、
前記付着力を低下させた有機物を前記光学部品の表面から除去可能な除去部材と、
を有する光学部品清掃具。
【請求項２】
前記除去部材の少なくとも一部が露出するように、前記除去部材を収容するケースをさらに有し、
前記除去部材は前記ケース内で移動可能であり、前記ケースから露出する一部が交換可能であることを特徴とする請求項１に記載の光学部品清掃具。
【請求項３】
前記除去部材と前記有機物除去容易化部材とを収容するケースをさらに有し、
前記ケースの長手方向の一端部からは前記除去部材が露出され、
前記ケースの長手方向の他端部には前記有機物除去容易化部材が配置されることを特徴とする請求項１または２に記載の光学部品清掃具。
【請求項４】
前記有機物除去容易化部材は、前記有機物の結合を切断することができるエネルギー照射装置である請求項１〜３のいずれかに記載の光学部品清掃具。
【請求項５】
前記エネルギー照射装置は、紫外線照射装置である請求項４に記載の光学部品清掃具。
【請求項６】
前記除去部材は、前記光学部品の表面に付着している異物を除去可能であり、
前記光学部品から除去した異物が付着している前記除去部材から前記異物を取り除く清掃部材をさらに有することを特徴とする請求項１〜５のいずれかに記載の光学部品清掃具。
【請求項７】
前記除去部材は、前記光学部品の表面に付着している異物を除去可能であり、
前記光学部品から除去した異物が付着している前記除去部材から前記異物を取り除く清掃部材を有し、
前記除去部材が粘着性樹脂テープで構成してあり、
前記清掃部材がクリーニング用テープで構成してある請求項１〜６のいずれかに記載の光学部品清掃具。
【請求項８】
前記除去部材の少なくとも一部が露出するように前記除去部材を収容するケースと、
操作者の手で操作可能な操作具とをさらに有し、
前記操作具を操作することにより、前記ケースから露出する前記除去部材の一部が交換可能である請求項１〜７のいずれかに記載の光学部品清掃具。
【請求項９】
前記除去部材の一部は、スプリング保持により所定の圧力荷重で前記光学部品の表面に押し付けられるようになっている請求項１〜８のいずれかに記載の光学部品清掃具。
【請求項１０】
前記有機物除去容易化部材が前記光学部品の表面に接触することを防止する保護部材をさらに有する請求項１〜９のいずれかに記載の光学部品清掃具。
【請求項１１】
滑り防止処理が成されている請求項１〜１０のいずれかに記載の光学部品清掃具。
【請求項１２】
帯電防止処理が成されていることを特徴とする請求項１〜１１のいずれかに記載の光学部品清掃具。
【請求項１３】
蓄光材が含有していることを特徴とする請求項１〜１２のいずれかに記載の光学部品清掃具。
【請求項１４】
光学部品の表面に付着している異物の一種である有機物に特定の波長のエネルギー光線を照射することにより前記有機物の付着力を低下させ、
前記付着力を低下させた有機物を前記光学部品の表面から除去する光学部品清掃方法。
【請求項１５】
前記特定の波長のエネルギー光線は、紫外線であることを特徴とする請求項１４に記載の光学部品清掃方法。
【発明の詳細な説明】
【技術分野】
【０００１】
本発明は、光学部品の表面に付着してある異物を除去可能な光学部品清掃具および光学部品清掃方法に関する。
【背景技術】
【０００２】
たとえばデジタルカメラにおいては、撮像素子の受光面、撮像素子保護用カバーガラスの表面、光学ローパスフィルタの表面など、撮像面から近距離にある光学部品の表面に付着した異物は、その付着部分が黒い点となって撮像画像に写り込み、画像品質を低下させ問題となる。
【０００３】
特に、いわゆる一眼レフデジタルカメラにおいては、レンズ交換時に外部からの異物がカメラ内部の光学部品に付着したり、レリーズ動作時のクイックリターンミラーの駆動により発生した異物が付着する場合があり、撮影上の大きな問題となることがある。
【０００４】
このような異物の問題を解消するために、特定のフィルタを振動子で加振することにより、異物を除去する構造が提案されている。また、カメラの内部に組み込んだワイパー部材などでフィルタなどの光学部品の表面を清掃する構造も提案されている。
【０００５】
しかしながら、フィルタなどの光学部品を単に振動させるのみでは、その光学部品の表面に強く付着している異物などの汚れを取り除くことは困難である。また、カメラの内部に組み込んだワイパー部材自体が異物などで汚れてしまった場合には、ワイパー部材の汚れを取るための清掃メンテナンスが必要になる。
【０００６】
そこで、たとえば下記の特許文献１に示すように、カメラとは別に用意されたクリーニングキットを用いてカメラ内部の光学部品の表面の清掃を行っている。一般的なクリーニングキットとして、支持棒の先端に、粘着性を有する弾性部材を取り付けた清掃具が知られている。
【０００７】
その清掃具を用いて光学部品の表面の異物を除去するには、支持棒の先端に取り付けられた弾性部材を、カメラの内部に差し込み、カメラ内部の光学部品の表面に押し付けて、光学部品の表面に付着している異物を弾性部材側に付着させる。その後、支持棒の先端に取り付けられた弾性部材を、カメラの内部から取り出し、弾性部材の表面に付着している異物を、別の清掃用具を用いて弾性部材の表面から除去し、弾性部材の表面の清掃を行う。その後に、再度、支持棒の先端に取り付けられた弾性部材を、カメラの内部に差し込み、同様な作業を繰り返すことで、カメラ内光学部品の表面の清掃を行う。
【０００８】
しかしながら、このような従来の清掃具を用いて行う光学部品表面の清掃方法では、光学部品の表面全域を清掃するために、カメラ内部への清掃具の出し入れを複数回行っており、カメラの内部における光学部品表面を外部に露出している時間が長くなり、異物が再付着する可能性が高い。また、光学部品表面の清掃時には、異物が付着した弾性部材の表面を清掃するための専用クリーニングキットが別に必要となり、作業性が悪くなる。さらにまた、光学部品の表面に付着した異物が有機物である場合、清掃具をカメラ内部の光学部品の表面に押し付けるだけでは、十分に異物を除去することができないという課題を有する。
【特許文献１】特開２００６−１７１２４３号公報
【発明の開示】
【発明が解決しようとする課題】
【０００９】
本発明は、このような実状に鑑みてなされ、その目的は、光学部品の表面に付着してある異物、特に有機物を短時間で除去可能な光学部品清掃具および光学部品清掃方法を提供することである。
【課題を解決するための手段】
【００１０】
上記目的を達成するために、本発明に係る光学部品清掃具は、
光学部品（２４）の表面に付着している異物の一種である有機物（６０）の付着力を低下させる有機物除去容易化部材（４７）と、
前記付着力を低下させた有機物を前記光学部品の表面から除去可能な除去部材（４６）と、を有する。
【００１１】
好ましくは、前記除去部材（４６）の少なくとも一部が露出するように、前記除去部材（４６）を収容するケース（３２）をさらに有し、
前記除去部材（４６）は前記ケース内で移動可能であり、前記ケース（３２）から露出する一部が交換可能である。
【００１２】
好ましくは、前記除去部材（４６）と前記有機物除去容易化部材（４７）とを収容するケース（３２）をさらに有し、
前記ケース（３２）の長手方向の一端部からは前記除去部材（４６）が露出され、
前記ケース（３２）の長手方向の他端部には前記有機物除去容易化部材（４７）が配置される。
【００１３】
好ましくは、前記有機物除去容易化部材（４７）は、前記有機物（６０）の結合を切断することができるエネルギー照射装置である。
【００１４】
好ましくは、前記エネルギー照射装置は、紫外線照射装置である。
【００１５】
好ましくは、前記除去部材（４６）は、前記光学部品（２４）の表面に付着している異物を除去可能であり、
前記光学部品（２４）から除去した異物が付着している前記除去部材（４６）から前記異物を取り除く清掃部材（４８）をさらに有する。
【００１６】
好ましくは、前記除去部材（４６）は、前記光学部品（２４）の表面に付着している異物を除去可能であり、
前記光学部品（２４）から除去した異物が付着している前記除去部材（４６）から前記異物を取り除く清掃部材（４８）を有し、
前記除去部材（４６）が粘着性樹脂テープで構成してあり、
前記清掃部材（４８）がクリーニング用テープで構成してある。
【００１７】
好ましくは、前記除去部材（４６）の少なくとも一部が露出するように前記除去部材（４６）を収容するケース（３２）と、
操作者の手で操作可能な操作具（４２）とをさらに有し、
前記操作具（４２）を操作することにより、前記ケース（３２）から露出する前記除去部材（４６）の一部が交換可能である。
【００１８】
好ましくは、前記除去部材（４６）の一部は、スプリング保持により所定の圧力荷重で前記光学部品（２４）の表面に押し付けられるようになっている。
【００１９】
好ましくは、前記有機物除去容易化部材（４７）が前記光学部品（２４）の表面に接触することを防止する保護部材（３５）をさらに有する。
【００２０】
本願発明の光学部品清掃具は、好ましくは、滑り防止処理が成されている。
【００２１】
本願発明の光学部品清掃具は、好ましくは、帯電防止処理が成されている。
【００２２】
本願発明の光学部品清掃具は、好ましくは、蓄光材を含有している。
【００２３】
また、本発明に係る光学部品清掃方法は、
光学部品（２４）の表面に付着している異物の一種である有機物（６０）に特定の波長のエネルギー光線を照射することにより前記有機物（６０）の付着力を低下させ、
前記付着力を低下させた有機物（６０）を前記光学部品（２４）の表面から除去することを特徴とする。
【００２４】
好ましくは、前記特定の波長のエネルギー光線は、紫外線である。
【００２５】
なお、上述の説明では、本発明をわかりやすく説明するために、実施形態を示す図面の符号に対応をつけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明を実施するための最良の形態】
【００２６】
以下、本発明を、図面に示す実施形態に基づき説明する。
図１は本発明の一実施形態に係る光学部品清掃具の概略断面図、
図２は図１に示す光学部品清掃具の有機物除去容易化部材を用いて有機物の付着力を低下させている状態を示すカメラボディの概略断面図、
図３は図１に示す光学部品清掃具の除去部材を用いて清掃している状態を示すカメラボディの概略断面図、
図４は図１に示すIＶ−IＶ線に沿うローパスフィルタの正面図、
図５は本発明の他の実施形態に係る光学部品清掃具の概略断面図、
図６は本発明のさらにその他の実施形態に係る光学部品清掃具の概略断面図、
図７は本発明のさらにその他の実施形態に係る光学部品清掃具の概略断面図である。
第１実施形態
【００２７】
図２に示すように、本発明の一実施形態に係る光学部品清掃具３０は、カメラボディ４のレンズマウント２８に装着される交換レンズが取り外された状態で使用される。レンズマウント２８は、交換レンズ（図示省略）のボディマウントが着脱自在に取り付けられる部分であり、レンズマウント２８の内側には、開口部７が形成してある。
【００２８】
カメラボディ４のケーシング５内部には、接眼レンズ１２、ペンタプリズム１０、ファインダスクリーン８などのファインダ用光学部品と、撮像ユニット２０を構成する撮像素子２２の前面に配置してある光学ローパスフィルタ２４などで構成される撮像用光学部品とが具備してある。撮像ユニット２０の背面には、回路基板２６が配置してある。回路基板２６には、撮像ユニット２０の撮像素子２２にて受光した画像信号を処理する回路などが組み込まれている。
【００２９】
光学ローパスフィルタ２４の前面には、シャッタ部材１６が装着してある。図２では、シャッタ部材１６が開いている。シャッタ部材１６の前面には、クイックリターンミラー１４が配置してある。クイックリターンミラー１４は、カメラボディ４のファインダスクリーン８とペンタプリズム１０とを介して接眼レンズ１２へ光束を導く覗きモードと、撮像素子２２へ撮影光を導く撮影モードとを切り替えるための光学部品である。
【００３０】
図２に示すように、カメラボディ４から交換レンズが取り外された状態では、通常、シャッタ部材１６は閉じ、クイックリターンミラー１４は、図２中の点線位置にある。しかし、カメラボディ４の清掃モードを選択することで、クイックリターンミラー１４は、図２の実線位置に跳ね上がると共に、シャッタ部材１６は開き、光学部品清掃具３０のカメラボディ４の内部への挿入を許可する。
【００３１】
図１に示すように、本実施形態に係る光学部品清掃具３０は、長手方向Ｘに沿って細長い中空ケース３２を有する。ケース３２は、横断面が矩形状であり、図１の下側であるケース３２の長手方向の一端部に形成されたケース先端開口３２ａには、その先端開口３２ａ内に収まる大きさのガイド３４が、ケース３２に対して先端開口３２ａから所定突出量δで飛び出すように装着してある。
【００３２】
ガイド３４は、ケース３２に対して、図示省略してあるスプリングにより弾性保持され、何ら外力が作用しない状態では、ケース３２に対して先端開口３２ａから所定突出量δで飛び出す位置で停止するようになっている。しかも、ガイド３４に対して、ガイド３４をケース３２の先端開口部３２ａの内部に押し込む方向の外力が作用した場合には、図示省略してあるスプリングの弾性力に抗してガイド３４は、所定突出量δが０となる位置までケース３２の長手方向Ｘに移動自在になっている。なお、所定突出量δは、ガイド３４に対して外力が作用しない状態では、０よりも大きな数値であることが好ましい。
【００３３】
ガイド３４には、平面側から見て矩形状の中央開口部３４ａが形成してある。ガイド３４の内側（ケース３２の内部）には、押圧ローラ３６が配置してある。押圧ローラ３６は、回転軸３６ａの回りに回転可能に保持してある。押圧ローラ３６の回転軸３６ａは、ケース３２に対して回転自在に装着してあると共に、図示省略してあるスプリングにより、ガイド３４と同様に、ケース３２の長手方向Ｘに沿って、ケース３２の内部に押し込み可能になっている。
【００３４】
この実施形態では、押圧ローラ３６に対して何ら外力が作用しない状態では、押圧ローラ３６の外周面の一部が、ガイド３４の開口部３４ａからケース３２の長手方向Ｘに沿って外側に少し飛び出す位置でストップするようになっている。押圧ローラ３６に対してケース３２の長手方向Ｘに沿ってケース内部に押し込む方向の力が作用した場合には、押圧ローラ３６は、ガイド３４に対してケース内部に押し込まれる方向に移動するようになっている。
【００３５】
ケース３２の内部であって、押圧ローラ３６よりも基端側（図１上側）には、清掃ロール３８がケース３２に対して回転自在に装着してある。清掃ロール３８の回転軸３８ａの周囲には、クリーニング用テープ４８が巻回してある。クリーニング用テープ４８は、たとえば片面に粘着材層が形成してある粘着紙テープなどで構成してある。このクリーニング用テープ４８は、粘着面が外側を向くように、回転軸３８ａの外周に巻回してある。
【００３６】
ケース３２の内部であって、清掃ロール３８よりも基端側には、ローラ４０がケース３２に対して回転自在に装着してある。このローラ４０は、押圧ローラ３６と対になり、これらの間で、異物除去テープ４６が、ガイド３４に案内されて、ループ状に循環するように掛け渡してある。
【００３７】
異物除去テープ４６は、たとえば樹脂テープの表面自体が粘着性を有する粘着性樹脂テープを平帯状にして構成してあり、少なくともループの外側が粘着面となるように、ローラ３６および４０の間に掛け渡してある。粘着性樹脂テープとしては、特に限定されないが、たとえばシリコンゴム、ブチルゴム、ウレタンゴムなどが例示され、テープ状に成形され、適度な柔軟性も有し、ＪＩＳ硬度が２０〜５０程度である。なお、クリーニング用テープ４８の粘着力は、異物除去テープ４６の粘着力より強く、異物除去テープ４６は、クリーニング用テープ４８と接触することにより表面が清掃され、粘着性が回復し、くり返し異物除去に使用可能なテープである。
【００３８】
清掃ロール３８は、ローラ３６および４０の間の略中間位置に配置され、その回転軸３８ａが、図示省略してあるスプリングなどで異物除去テープ４６への弾性力を付与されて支持され、ロール３８の外周の一部を、ループ状に巻回された異物除去テープ４６の片側に接触して押し込むようになっている。その結果、ローラ３６および４０の間に掛け渡された異物除去テープ４６には、所定の張力が作用し、ガイド３４の先端面に位置する異物除去テープ４６の異物除去面４６ａに弛みが発生することはない。なお、ロール３８に巻回されているクリーニング用テープ４８の量が減っても異物除去テープ４６への押し込み量が変化しないよう、ロール３８を移動可能としてもよい。
【００３９】
清掃ロール３８から巻き解されるクリーニング用テープ４８は、ロール３８とローラ４０との間に位置する異物除去テープ４６の外面に押圧して接触され、ローラ４０の外周の一部を通り、ローラ４０よりも基端側の側面に位置するダイヤル式の操作用ローラ４２の外周に巻取られる。操作用ローラ４２の近くには、巻取り補助ローラ４４が配置してあっても良いが、必ずしも設ける必要はない。巻取り補助ローラ４４は、クリーニング用テープ４８が操作用ローラ４２の外周に巻取られる最初の回転位置で、操作用ローラ４２の外周の一部を押圧してクリーニング用テープ４８に弛みが発生するのを防止するように配置してあり、ケース３２に対して回転自在に配置してある。
【００４０】
操作用ローラ４２の外周の一部は、ケース３２の側面開口部３２ｂから露出しており、ケース３２を把持する操作者の片手の指で、操作用ローラ４２を、好ましくは一方向に回転操作可能になっている。たとえば図１に示す操作用ローラ４２を左回りに回転させることで、クリーニング用テープ４８は、操作用ローラ４２の外周に巻取られる。操作用ローラ４２の巻きもどりを防止するストッパー（図示省略）を設けてもよい。
【００４１】
クリーニング用テープ４８が操作用ローラ４２の外周に巻取られると、そのクリーニング用テープ４８の巻き取りの動きは、テープ４６とテープ４８との粘着力により、そのテープ４８が所定圧力で接触する異物除去テープ４６に伝達し、ループ状に巻回してある異物除去テープ４６をループに沿って右回りに回転させる。その結果、ローラ４０は右回りに回転すると共に、押圧ローラ３６も右回りに回転する。
【００４２】
本実施形態では、操作用ローラ４２が、所定量回転すると一旦ストップするように構成してあり、その所定の回転角度の回転により、異物除去面４６ａに位置する異物除去テープ４６の外面が移動して新しい面に交換されるように設定してある。
【００４３】
このように構成してある光学部品清掃具３０における異物除去テープ４６における異物除去面４６ａのサイズは、特に限定されず、図４に示すように、異物の除去の対象となる光学ローパスフィルタ２４の表面の大きさなどに応じて決定される。たとえば光学ローパスフィルタ２４の表面の縦横寸法が、Ｌ１およびＬ２である場合には、異物除去面４６ａの縦横寸法Ｌ３およびＬ４は、それぞれＬ１およびＬ２よりも小さく、好ましくは、それぞれ１／２以上の大きさであることが好ましい。
【００４４】
また、図１の上側であるケース基端には、基端部（ケース３２の長手方向の他端部）に収まる大きさのエネルギー照射装置４７が、ケース３２に対して基端部から飛び出さないように装着してある。
【００４５】
エネルギー照射装置４７側のケース３２の基端部には、ガイド３５が設けられている。カメラボディ４の内部へ光学部品清掃具３０のエネルギー照射装置４７側から挿入する際に、光学ローパスフィルタ２４の表面にガイド３５を接触させることで、光学ローパスフィルタ２４の表面に傷がつくことを防ぐ。ガイド３５は、光学ローパスフィルタ２４よりも柔らかい材質であれば特に限定されず、たとえば、ゴム、発泡ゴム、プラスチック、発泡プラスチックなどで構成してある。
【００４６】
エネルギー照射装置４７は、レーザー照射装置、Ｘ線照射装置、プラズマ照射装置、イオンミリング装置、紫外線照射装置などが例示され、紫外線照射装置が好ましく、オゾン発生装置とともに具備してあってもよい。光学ローパスフィルタ２４の表面にダメージを与えることなく有機物を分解するエネルギーを照射するものであることが好ましい。また、エネルギー発生装置の電圧供給手段としては、特に限定されないが、たとえばケース３２に内蔵可能な電池方式が好ましい。
【００４７】
このように構成してある光学部品清掃具３０におけるエネルギー発生装置のエネルギー照射面のサイズは、上述した異物除去面４６ａのサイズと同様にして決定される。
【００４８】
光学ローパスフィルタ２４上の異物が有機物である場合にエネルギー照射装置４７からエネルギー線を照射すると、光学ローパスフィルタ２４上の異物である有機物の結合を切断し、有機物のフリーラジカルや励起状態の分子に変化させることができる。そのため、異物除去テープ４６で異物を簡単に取り除くことができるようになる。
【００４９】
異物である有機物としては、切削油、密ロウと松脂の混合物、ラッピング剤、真空ポンプ油、シリコン拡散ポンプ油、シリコン真空グリース、半田用フラックス、人間の皮膚脂、空気中に長時間暴露中に吸着した汚染、真空蒸着した炭素の薄膜などが例示される。
【００５０】
このように構成してある光学部品清掃具３０を用いて、図２に示すカメラボディの内部にある光学ローパスフィルタ２４の表面の清掃を行う場合には、まず、カメラボディ４から交換レンズを取り外し、カメラボディ４の清掃モードを選択する。次に、光学部品清掃具３０の先端部（異物除去面４６a側）を持ちながら、基端部（エネルギー発生装置４７側）をカメラボディ４の開口部７から差し込み、ガイド３５を、図４において、光学ローパスフィルタ２４の表面の一角部に押し当てる。
【００５１】
その際に、光学ローパスフィルタ２４の表面に付着している有機物を含む異物６０に、特定の波長のエネルギー光線を照射し、有機物の結合を切断し、有機物のフリーラジカルや励起状態の分子に変化させることができる。
【００５２】
このように、エネルギー照射を、光学ローパスフィルタ２４の表面の４つの角部に対して繰り返すことで、光学ローパスフィルタ２４の表面の異物である有機物の結合を切断し、有機物のフリーラジカルや励起状態の分子に変化させることができる。
【００５３】
次に、光学部品清掃具３０をカメラボディ４の開口部７から取り出し、光学部品清掃具３０における異物除去面４６ａが、異物などの付着のない新しい面又は、粘着力が回復された後の面であることを確認する。その後、図３に示すように、光学部品清掃具３０の基端部（エネルギー発生装置４７側）を持ちながら、先端部（異物除去面４６ａ側）をカメラボディ４の開口部７から差し込み、その先端部を、図４において、光学ローパスフィルタ２４の表面の一角部に押し当てる。
【００５４】
その際に、図１に示す押圧ローラ３６およびガイド３４は、ケース３２の先端開口部３２ａの内部に多少押し込まれ、テープ４６の異物除去面４６ａが光学ローパスフィルタ２４の表面に所定圧力で密着する。その結果、光学ローパスフィルタ２４の表面に付着していた異物６０は、テープ４６の異物除去面４６ａに粘着される。
【００５５】
その後に、光学部品清掃具３０の異物除去面４６ａを光学ローパスフィルタ２４の表面から離し、光学部品清掃具３０をカメラボディ４の開口部７から取り出さずに、操作用ローラ４２を指で回転させれば、クリーニング用テープ４８は、操作用ローラ４２の外周に巻取られる。クリーニング用テープ４８が操作用ローラ４２の外周に巻取られると、そのクリーニング用テープ４８の巻き取りの動きは、そのテープ４８が所定圧力で接触する異物除去テープ４６に伝達し、ループ状に巻回してある異物除去テープ４６をループに沿って右回りに回転させる。その結果、ローラ４０は右回りに回転すると共に、押圧ローラ３６も右回りに回転する。
【００５６】
本実施形態では、操作用ローラ４２が、所定の回転角度で一旦ストップするように構成してあり、その所定角度の回転により、異物除去面４６ａに位置する異物除去テープ４６の外面が交換されて、テープ４８により異物６０が除去されて粘着力が回復した後の面又は新しい面となる。
【００５７】
そこで、次に、再度、光学部品清掃具３０の異物除去面４６ａ側の先端部を、図４において、光学ローパスフィルタ２４の表面の他の角部に押し当てる。そして、上述の動作を、光学ローパスフィルタ２４の表面の４つの角部に対して繰り返すことで、光学ローパスフィルタ２４の表面の異物は、全て除去される。この際、光学部品清掃具３０をカメラボディ４の開口部７から取り出す必要はなく、短時間で光学ローパスフィルタ２４の清掃が可能である。
【００５８】
しかも、操作用ローラ４２を操作して、クリーニング用テープ４８を操作用ローラ４２の外周に巻取る際に、そのクリーニング用テープ４８が所定圧力で接触する異物除去テープ４６に付着している異物６０が、クリーニング用テープ４８側に移動する。したがって、操作用ローラ４２を操作することで、異物除去テープ４６の外面の清掃も同時に行うことができる。また、クリーニング用テープ４８は、カートリッジ式のものであり、操作用ローラ４２にクリーニング用テープ４８が全て巻きとられた後は、ケース３２を開閉することにより交換可能となっている。
【００５９】
本実施形態に係る光学部品清掃具３０では、有機物を含む異物６０にエネルギー照射した後に、テープ４６の異物除去面４６ａがフィルタ２４の表面に接触し、その表面に付着してある異物６０を、テープ４６の異物除去面４６ａに粘着させる。エネルギー照射により有機物の結合を切断し、有機物のフリーラジカルや励起状態の分子に変化させることができるので、振動子による振動のみで異物を除去する方式に比較して、強く付着している有機物などの汚れであっても、容易に除去される。
【００６０】
しかも本実施形態では、カメラボディ４の内部には、清掃用の振動子や清掃用の除去部材を設ける必要が無い。そのため、カメラボディ４のコンパクト化および軽量化を図ることができる。
第２実施形態
【００６１】
図５に示す実施形態に係る光学部品清掃具３０ａは、下記の構成および作用効果が相違する以外は、上述した第１実施形態に係る光学部品清掃具３０と同様な構成および作用効果を有する。
【００６２】
すなわち、この実施形態では、異物除去テープ４６をループ状に巻回するために、３つのローラ３６，４０，４４とガイド３４とを用いている。また、クリーニング用テープ４８を操作用ローラ４２ａの外周に巻き付けることなく、ケース３２の側面部に設けた側面開口部３２ｂから排出可能にしてある。
【００６３】
この実施形態では、クリーニング用テープ４８を操作用ローラ４２ａの外周に巻き付けることなく、ケース３２の側面部に設けた側面開口部３２ｂから排出可能にしてあるので、操作用ローラ４２ａの外径が変化しないと共に、ローラ４２ａの外周に滑り止め加工を行うことで、操作用ローラ４２ａを回転させ易いと言う利点がある。
【００６４】
また、クリーニング用テープ４８を側面開口部３２ｂから排出するように構成することで、その側面開口部３２ｂから飛び出しているテープ４８を引っ張ることで、ループ状の異物除去テープ４６をループに沿って移動させることも可能である。側面開口部３２ｂから飛び出しているテープ４８は、破って捨てることも可能である。なお、側面開口部３２ｂを設ける場所に特に制限はなく、ケース３２の反対側側面を取り出し口としてもよい。
【００６５】
また、図５に示す実施形態では、異物除去テープ４６をループ状に巻回するために、３つのローラ３６，４０，４４とガイド３４とを用いているため、テープ４８とテープ４６とが接触する長さが図１に示す実施形態と比べて長くなり、テープ４８の駆動力がテープ４６へ伝達しやすくなると共に、異物が、テープ４６からテープ４８へと移動しやすくなる。
第３実施形態
【００６６】
図６に示す実施形態に係る光学部品清掃具３０ｂは、下記の構成および作用効果が相違する以外は、上述した第１実施形態に係る光学部品清掃具３０と同様な構成および作用効果を有する。
【００６７】
すなわち、この実施形態では、異物除去テープ４６をループ状に巻回するために、２つのローラ３６，４０とガイド３４とを用いているが、ローラ４０の配置位置と、清掃ロール３８とが、ケース３２の長手方向Ｘに沿って第１実施形態と逆になっている。また、クリーニング用テープ４８を操作用ローラ４２ａの外周に巻き付けることなく、ケース３２の側面部に設けた側面開口部３２ｂから排出可能にしてある。
【００６８】
この実施形態では、クリーニング用テープ４８を操作用ローラ４２ａの外周に巻き付けることなく、ケース３２の側面部に設けた側面開口部３２ｂから排出可能にしてあるので、操作用ローラ４２ａの外径が変化しないと共に、ローラ４２ａの外周に滑り止め加工を行うことで、操作用ローラ４２ａを回転させ易いと言う利点がある。
【００６９】
また、クリーニング用テープ４８を側面開口部３２ｂから排出するように構成することで、その側面開口部３２ｂから飛び出しているテープ４８を引っ張ることで、ループ状の異物除去テープ４６をループに沿って移動させることも可能である。側面開口部３２ｂから飛び出しているテープ４８は、破って捨てることも可能である。
【００７０】
また、図６に示す実施形態では、異物除去テープ４６をループ状に巻回するために、ローラ４０と清掃ロール３８とを密着させて配置することで、ロール３８とローラ４０との間で、テープ４６，４８同士を強く密着させることができる。
その他の実施形態
【００７１】
なお、本発明は、上述した実施形態に限定されるものではなく、本発明の範囲内で種々に改変することができる。
【００７２】
たとえば、上述した実施形態において、ケース３２から露出する異物除去テープ４６の異物除去面４６ａが交換可能であれば良い。すなわち、図７に示すように、ケース３２の内部において、異物除去テープ４６を移動可能に備えておき、ローパスフィルタ２４の全面の清掃が終わる毎に、異物除去テープ４６の交換（清掃）を行うようにしても良い。このように構成することにより、少なくともローパスフィルタ２４の全面の清掃を行う間は、異物除去面４６ａを交換させて新しい面とすることができる。
【００７３】
また、押圧ローラ３６、ローラ４０などのケース３２の内部構成部材を透明な材質に変えることで、異物除去面４６aからエネルギー照射することもできる。このような構成にすることにより、エネルギー照射後に、光学部品清掃具３０をカメラボディ４の開口部７から取り出さずに清掃作業を続けることができるので、光学部品表面を外部に露出している時間をさらに短くすることができる。そのため、光学部品表面が外部に長時間露出されることで起きる異物の再付着を、さらに効果的に防ぐことができる。
【００７４】
また、上述した実施形態において、異物除去テープ４６は、帯電防止処理が成されていることが好ましい。帯電防止処理としては、特に限定されないが、導電性粒子を、テープ４６の内部に含ませ、テープ４６に導電性を持たせればよい。そのように構成すれば、テープ４６の異物除去面４６ａをフィルタ２４から剥がした直後に、フィルタ２４の表面に静電気が発生しにくくなり、異物の再付着を有効に防止することができる。
【００７５】
なお、上述した実施形態において、ケース３２に対しても、帯電防止処理が成されていることが好ましい。すなわち、ケース３２も導電性であることが好ましい。
【００７６】
さらに、上述した実施形態において、ローラ３６および４０の外周には、エンボス加工などの滑り防止処理がなされており、テープ４６との滑りが防止されていることが好ましい。また、図１に示す操作用ローラ４２の外周にもエンボス加工などの滑り防止処理がなされており、テープ４８との滑りが防止されていることが好ましい。
【００７７】
さらにまた、異物除去テープ４６および／またはケース３２には、蓄光材を含有させ、暗部で光るようにしても良い。カメラボディ４の内部は暗いので、異物除去テープ４６および／またはケース３２が光ることで、清掃作業がし易くなる。
【００７８】
また、ケース３２は、持ちやすい形状であることが好ましい。さらに、ケース３２は、カメラボディ４のレンズマウント２８に対して着脱自在に装着される構造であっても良い。
【００７９】
また、操作部としては、操作用ローラ４２，４２ａ以外に、プッシュ式の操作部やその他の形式の操作部であっても良い。
【００８０】
さらにまた、本実施形態に係る光学部品清掃具により清掃される光学部品としては、カメラボディ４の内部に配置してあるローパスフィルタ２４には限定されない。
【図面の簡単な説明】
【００８１】
【図１】図１は本発明の一実施形態に係る光学部品清掃具の概略断面図である。
【図２】図２は図１に示す光学部品清掃具を用いて有機物の付着力を低下させている状態を示すカメラボディの概略断面図である。
【図３】図３は図１に示す光学部品清掃具を用いて清掃している状態を示すカメラボディの概略断面図である。
【図４】図４は図１に示すIＶ−IＶ線に沿うローパスフィルタの正面図である。
【図５】図５は本発明の他の実施形態に係る光学部品清掃具の概略断面図である。
【図６】図６は本発明のさらにその他の実施形態に係る光学部品清掃具の概略断面図である。
【図７】図７は本発明のさらにその他の実施形態に係る光学部品清掃具の概略断面図である。
【符号の説明】
【００８２】
４…  カメラボディ
３０，３０ａ，３０ｂ…  光学部品清掃具
３２…  ケース
３４…  ガイド
３６…  押圧ローラ
３８…  清掃ロール
４０…  ローラ
４２…  操作用ローラ
４４…  補助ローラ
４６…  異物除去テープ
４６ａ…  異物除去面
４８…  クリーニング用テープ
６０…  異物
【図１】
2009135759.tif 000003
【図２】
2009135759.tif 000004
【図３】
2009135759.tif 000005
【図４】
2009135759.tif 000006
【図５】
2009135759.tif 000007
【図６】
2009135759.tif 000008
【図７】
2009135759.tif 000009